(57)【要約】【課題】簡単な構成でナメクジや蟻などの生物の侵入を抑えて制御回路基板の絶縁破壊を防止することができる給水ポンプ用電装箱装置を提供する。【解決手段】ケース１内に給水ポンプを制御する制御回路基板２が収納され、前記ケース１の側部に前記制御回路基板２に導通するコネクタ６が装着されたコネクタ装着部７が設けられている給水ポンプ用電装箱装置において、前記ケース１の内側に、前記コネクタ装着部７を覆ってそのコネクタ装着部７と前記ケース１の内部との間を密閉するバリア１２を設ける。【選択図】    図２
2007028707.tif 000002
【特許請求の範囲】
【請求項１】
ケース内に給水ポンプを制御する制御回路基板が収納され、前記ケースの側部に前記制御回路基板に導通するコネクタが装着されるコネクタ装着部が設けられている給水ポンプ用電装箱装置において、
前記ケースの内側に、前記コネクタ装着部を覆ってそのコネクタ装着部と前記ケースの内部との間を密閉するバリアが設けられていることを特徴とする給水ポンプ用電装箱装置。
【請求項２】
ケース内に給水ポンプを制御する制御回路基板が収納され、前記ケースの側部に挿通口が形成され、前記制御回路基板に導通する配線ケーブルが前記ケースの挿通部を通してケースの外部から内部に導入される給水ポンプ用電装箱装置において、
前記ケースの内側に、前記挿通部を覆ってその挿通部と前記ケースの内部との間を密閉するバリアが設けられていることを特徴とする給水ポンプ用電装箱装置。
【発明の詳細な説明】
【技術分野】
【０００１】
この発明は、例えば井戸水を汲み上げて給水する給水ポンプに付設される給水ポンプ用電装箱装置に関する。
【背景技術】
【０００２】
この種の電装箱装置は、合成樹脂製のケースの内部に給水ポンプを制御するための制御回路基板を収納してなる。制御回路基板には外部の配線ケーブル類を接続するための複数のコネクタが設けられ、これらコネクタがケースの側部に装着されている。
【０００３】
給水ポンプ用の電装箱装置は、井戸等の付近の湿気のある屋外に設置されるため、その電装箱装置の付近のナメクジや蟻などの生物がケースのコネクタ装着部に生じている隙間を通してケース内に侵入することがある。ナメクジや蟻などの生物は水分を含んでおり、このためこのような生物がケース内に侵入すると、各種の電子部品を備える制御回路基板の絶縁が低下して絶縁破壊を起こし、給水ポンプの制御に支障をきたしてしまう。
【０００４】
また、他の電装箱装置として、ケースの側部に挿通口が形成され、その内部に収納された制御回路基板に導通する配線ケーブルが前記挿通部を通してケースの外部から内部に導入される構造のものもあるが、このような電装箱装置においても、ナメクジや蟻などの生物が配線ケーブルが通る挿通口からケース内に侵入して制御回路基板の絶縁破壊の原因を招く恐れがある。
【０００５】
ところで、特開２００４−８２７２公報には、給水ポンプとは技術分野が異なるが、回路基板を樹脂からなるポッティング材で被覆して防水する技術が開示されている。このような技術を電装箱装置の制御回路基板に適用すれば、ナメクジや蟻などの侵入による制御回路基板の絶縁破壊を防止することが可能である。
【特許文献１】特開２００４−８２７２公報
【発明の開示】
【発明が解決しようとする課題】
【０００６】
しかしながら、ポッティング処理による手段では、樹脂のポッティング材で覆われる制御回路基板の放熱性が悪化し、また高さの高い電子部品についてはポッティング材が流れてその被覆が困難となり、さらにポッティング材を用いることによりコストが高くなる。そして、制御回路基板がポッティング材で覆われることから、その廃棄時における分別の処分が難しくなり、対環境性の点でも問題がある。
【０００７】
この発明はこのような点に着目してなされたもので、その目的とするところは、簡単な構成でナメクジや蟻などの生物の侵入を抑えて制御回路基板の絶縁破壊を防止することができる給水ポンプ用電装箱装置を提供することにある。
【課題を解決するための手段】
【０００８】
請求項１の発明は、ケース内に給水ポンプを制御する制御回路基板が収納され、前記ケースの側部に前記制御回路基板に導通するコネクタが装着されたコネクタ装着部が設けられている給水ポンプ用電装箱装置において、前記ケースの内側に、前記コネクタ装着部を覆ってそのコネクタ装着部と前記ケースの内部との間を密閉するバリアを設けるようにしたものである。
【０００９】
請求項２の発明は、ケース内に給水ポンプを制御する制御回路基板が収納され、前記ケースの側部に挿通口が形成され、前記制御回路基板に導通する配線ケーブルが前記ケースの挿通部を通してケースの外部から内部に導入される給水ポンプ用電装箱装置において、前記ケースの内側に、前記挿通部を覆ってその挿通部と前記ケースの内部との間を密閉するバリアを設けるようにしたものである。
【発明の効果】
【００１０】
この発明の電装箱装置によれば、コネクタ装着部や挿通口の隙間からナメクジや蟻などの生物が侵入したとしても、それ以上の進出をバリアにより抑えて制御回路基板への到達を阻止でき、これによりナメクジや蟻などの生物の侵入に起因する制御回路基板の絶縁破壊を防止することができる。
【００１１】
そしてバリアはケースに一体に成形することが可能であるから、制御回路基板の電子部品の個々を樹脂からなるポッティング材で被覆する手段に比べコストを軽減でき、また電子部品の高さが高い場合であっても何ら差し支えがなく、さらに制御回路基板の電子部品の放熱性が悪化することもなく、またその廃棄時の分別処理も容易になる。
【発明を実施するための最良の形態】
【００１２】
以下、この発明の実施の形態について図面を参照して説明する。
【００１３】
図１には第１の実施形態に係る給水ポンプ用電装箱装置の全体の外観を示してあり、この電装箱装置は合成樹脂製のケース１の内部に、給水ポンプ（図示せず）を制御するための制御回路基板２を収納してなる。
【００１４】
ケース１は、薄箱状のケース本体３と、このケース本体３の開口部に脱着可能に被冠された蓋体４とで構成され、ケース本体３および蓋体４はそれぞれ周壁３ａ，４ａを一体に有し、これら周壁３ａ，４ａが互いに付き合わされている。
【００１５】
制御回路基板２は、図２および図３に示すようにケース本体３内に設けられ、この制御回路基板２は複数の電子部品５および外部の配線ケーブル類を接続するための複数のコネクタ６を備えている。
【００１６】
ケース１の一側部には前記コネクタ６を装着するための装着部７が設けられている。このコネクタ装着部７は、図４に示すように、ケース本体３および蓋体４のそれぞれの周壁３ａ，４ａの一部に切欠部８を形成し、その切欠部８を互いに付き合わせることにより構成されている。
【００１７】
そしてこのコネクタ装着部７に制御回路基板２に導通する前記複数のコネクタ６が装着され、これらコネクタ６を介してケース１内の制御回路基板２と外部の配線ケーブルとが接続される。
【００１８】
蓋体４の内側にはバリア１２が一体的に設けられ、このバリア１２によりコネクタ装着部７が覆われている。このバリア１２は、蓋体４の周壁４ａと平行に並ぶ仕切壁１２ａと、この仕切壁１２ａの両端部に直角に連なる側壁１２ｂとを有する断面コ字状をなし、仕切壁１２ａは蓋体４の内側上面に一体に連なり、側壁１２ｂは蓋体４の内側上面および周壁４ａの内面に一体に連なっている。
【００１９】
そしてこのバリア１２の一端側端部は蓋体４の開口部からその外部側に一定の寸法だけ突出し、これによりケース本体３に蓋体４を被冠した際に、バリア１２の一端側の端部がケース本体３内に進入してケース本体３内の制御回路基板２に当接し、このようなバリア１２によりコネクタ装着部７の内側の全体が密閉され、コネクタ装着部７の周辺とケース１の内部とが隔てられている。
【００２０】
このような構成によれば、コネクタ装着部７の僅かな隙間からナメクジや蟻などの生物が侵入したとしても、それ以上の進出がバリア１２により抑えられる。つまり制御回路基板２の電子部品５の周辺部分にまでナメクジや蟻などの生物が侵入することがない。
【００２１】
このため、ナメクジや蟻などの生物の侵入に起因する制御回路基板２における電子部品５の絶縁破壊を確実に防止することができる。
【００２２】
バリア１２は蓋体４と一体に成形することが可能であり、したがって制御回路基板２の電子部品５の個々を樹脂からなるポッティング材で被覆する手段に比べコストを軽減でき、また電子部品５の高さが高い場合であっても何ら差し支えがなく、さらに制御回路基板２の電子部品５の放熱性が悪化することもなく、かつその廃棄時の分別処理も容易に行なうことができる。
【００２３】
図５には第２の実施形態を示してあり、この実施形態はコネクタを用いない場合の例で、ケース１の内部に収納された制御回路基板２の一端側端部の上に、その基板２の回路に導通する端子台２０が設けられ、この端子台２０に配線ケーブル２１が接続されている。
【００２４】
ケース１の側部には端子台２０と対向して挿通口２２が形成され、配線ケーブル２１がケース１の外部からその挿通口２２を通してケース１の内部に導入されて端子台２０に接続されている。
【００２５】
そして、ケース１の蓋体４の内側にバリア１２が一体的に設けられ、このバリア１２により前記挿通口２２が覆われている。このバリア１２の一端側の端部はケース１内の制御回路基板２に当接し、このバリア１２により挿通口２２の内側の全体が密閉され、挿通口２２とケース１の内部とが隔てられている。
【００２６】
このような構成においても、挿通口２２からナメクジや蟻などの生物が侵入したとしても、それ以上の進出がバリア１２により抑えられ、制御回路基板２の電子部品５の周辺部分にまでナメクジや蟻などの生物が侵入することがない。
【００２７】
このため、ナメクジや蟻などの生物の侵入に起因する制御回路基板２における電子部品５の絶縁破壊を確実に防止することができる。
【００２８】
図６には第３の実施形態を示してあり、この実施形態においては、ケース１の内部に収納された制御回路基板２の一端側端部の上に配線ケーブル２１が直付けされている。この配線ケーブル２１は、ケース１の側部に形成された挿通口２２を通してケース１の外部から内部に導入されて制御回路基板２に接続されている。
【００２９】
そして、ケース１の蓋体４の内側にバリア１２が一体的に設けられ、このバリア１２により前記挿通口２２が覆われている。このバリア１２の一端側の端部はケース１内の制御回路基板２に当接し、このバリア１２により挿通口２２の内側の全体が密閉され、挿通口２２とケース１の内部とが隔てられている。
【００３０】
このような構成においても、挿通口２２からナメクジや蟻などの生物が侵入したとしても、それ以上の進出がバリア１２により抑えられ、制御回路基板２の電子部品５の周辺部分にまでナメクジや蟻などの生物が侵入することがない。
【００３１】
このため、ナメクジや蟻などの生物の侵入に起因する制御回路基板２における電子部品５の絶縁破壊を確実に防止することができる。
【図面の簡単な説明】
【００３２】
【図１】この発明の第１の実施形態に係る給水ポンプ用電装箱装置の全体の外観を示す斜視図。
【図２】その電装箱装置の要部の断面構造を示す断面図。
【図３】図２中のＡ−Ａ線に沿う断面図。
【図４】電装箱装置のケースの一部の分解状態の斜視図。
【図５】この発明の第２の実施形態を示す要部の断面図。
【図６】この発明の第３の実施形態を示す要部の断面図。
【符号の説明】
【００３３】
１…ケース
２…制御回路基板
３…ケース本体
３ａ，４ａ…周壁
４…蓋体
５…電子部品
６…コネクタ
７…コネクタ装着部
８…切欠部
１２…バリア
１２ａ…仕切壁
１２ｂ…側壁
２０…端子台
２１…配線ケーブル
２２…挿通口
【図１】
2007028707.tif 000003
【図２】
2007028707.tif 000004
【図３】
2007028707.tif 000005
【図４】
2007028707.tif 000006
【図５】
2007028707.tif 000007
【図６】
2007028707.tif 000008